(57)【要約】【課題】被転写品が、容器本体にこれより取り外し可能な蓋体が装着されて構成されてその外周囲に不連続な箇所として隙間が存在する収納体であって、かつ転写シートをこのような収納体全体に対して定着させて一回の操作で転写を行う場合に、転写シートを隙間へも良好に密着させて、イメージを容器本体から蓋体にわたって一連に連続的に転写することが可能な加飾容器を提供する。【解決手段】昇華型インクによりイメージが印刷された転写シート１を、載置面２上に載置した立体形状の収納体３の外側に吸引作用で定着させて加熱することにより、転写シートからイメージが転写される加飾容器であって、立体形状の収納体は、容器本体４にこれより取り外し可能な蓋体５が装着されて構成される。転写シートを定着させる吸引力を収納体の内部から加えるために、収納体には蓋体と容器本体との隙間Ｇから、載置面上の容器本体の底部へと連通する吸気通路６が形成される。【選択図】図３
2005200089.tif 000002
【特許請求の範囲】
【請求項１】
昇華型インクによりイメージが印刷された転写シートを、載置面上に載置した立体形状の収納体の外側に吸引作用で定着させた状態で加熱することにより、該転写シートからイメージが転写される加飾容器であって、上記立体形状の収納体は、容器本体にこれより取り外し可能な蓋体が装着されて構成されるとともに、上記転写シートを定着させる吸引力を上記収納体の内部から加えるために、該収納体には上記蓋体と上記容器本体との隙間から、上記載置面上の該容器本体の底部へと連通する吸気通路が形成されることを特徴とする加飾容器。
【請求項２】
昇華型インクによりイメージが印刷された転写シートを、立体形状の収納体の外側に吸引作用で定着させた状態で加熱することにより、該転写シートからイメージが転写される加飾容器であって、上記立体形状の収納体は、容器本体にこれより取り外し可能な蓋体が装着されて構成されることを特徴とする加飾容器。
【発明の詳細な説明】
【技術分野】
【０００１】
本発明は、被転写品が、容器本体にこれより取り外し可能な蓋体が装着されて構成されてその外周囲に不連続な箇所として隙間が存在する収納体であって、かつ転写シートをこのような収納体全体に対して定着させて一回の操作で転写を行う場合に、転写シートを隙間へも良好に密着させて、イメージを容器本体から蓋体にわたって一連に連続的に転写することが可能であり、これにより意匠的に美麗に形成される加飾容器に関する。
【背景技術】
【０００２】
従来、昇華性インクで印刷した画像を被転写品に転写する技術として、例えば特許文献１が知られている。この特許文献１では、空気の排出口を設けた減圧用の密閉バッグ内に、下型上に設置するようにして、被転写品と画像を出力した印画紙とを配置し、真空ポンプで減圧して密閉バッグをしぼませた上で、上型を押し付けることにより転写を行うようにしていた。すなわち、印画紙を被転写品に定着させる際、密閉バッグをしぼませるが、その吸引作用はもっぱら被転写品の外回りにおいて行われるようになっていた。
【特許文献１】特開２０００−３０１８９７号公報
【発明の開示】
【発明が解決しようとする課題】
【０００３】
ところで、従来の技術にあっては上述したように、転写シートである印画紙を被転写品に定着させるにあたり、被転写品の外回りからのみ転写シートを吸引するようにしていた。被転写品の外周囲が一連に連続している場合には、このような吸引によっても相当の密着度で転写シートを被転写品に吸着させることができる。しかしながら、被転写品が２部品で構成されていて、例えば容器本体にこれより取り外し可能な蓋体が装着されて構成されていて、被転写品全体として見た場合にその外周囲に不連続な箇所として隙間がある被転写品であって、かつこのような被転写品全体に転写シートを定着させて一回の操作で転写を行う場合には、被転写品の外回りからの吸引作用ではこの隙間に転写シートを密着させることは難しく、転写シートは容器本体と蓋体との間で浮いた状態となり、このためこのような２部品からなる被転写品に対しては、イメージを両部品にわたって一連に連続的に転写することが難しいという課題があった。
【０００４】
本発明は上記従来の課題に鑑みて創案されたものであって、被転写品が、容器本体にこれより取り外し可能な蓋体が装着されて構成されてその外周囲に不連続な箇所として隙間が存在する収納体であって、かつ転写シートをこのような収納体全体に対して定着させて一回の操作で転写を行う場合に、転写シートを隙間へも良好に密着させて、イメージを容器本体から蓋体にわたって一連に連続的に転写することが可能であり、これにより意匠的に美麗な加飾容器を提供することを目的とする。
【課題を解決するための手段】
【０００５】
本発明にかかる加飾容器は、昇華型インクによりイメージが印刷された転写シートを、載置面上に載置した立体形状の収納体の外側に吸引作用で定着させた状態で加熱することにより、該転写シートからイメージが転写される加飾容器であって、上記立体形状の収納体は、容器本体にこれより取り外し可能な蓋体が装着されて構成されるとともに、上記転写シートを定着させる吸引力を上記収納体の内部から加えるために、該収納体には上記蓋体と上記容器本体との隙間から、上記載置面上の該容器本体の底部へと連通する吸気通路が形成されることを特徴とする。
【０００６】
また、本発明にかかる加飾容器は、昇華型インクによりイメージが印刷された転写シートを、立体形状の収納体の外側に吸引作用で定着させた状態で加熱することにより、該転写シートからイメージが転写される加飾容器であって、上記立体形状の収納体は、容器本体にこれより取り外し可能な蓋体が装着されて構成されることを特徴とする。
【発明の効果】
【０００７】
本発明にかかる加飾容器にあっては、被転写品が、容器本体にこれより取り外し可能な蓋体が装着されて構成されてその外周囲に不連続な箇所として隙間が存在する収納体であって、かつ転写シートをこのような収納体全体に対して定着させて一回の操作で転写を行う場合に、転写シートを隙間へも良好に密着させることができて、イメージを容器本体から蓋体にわたって一連に連続的に転写することが可能であり、これにより意匠的に美麗に形成することができる。
【発明を実施するための最良の形態】
【０００８】
以下に、本発明にかかる加飾容器の好適な一実施形態を、添付図面を参照して詳細に説明する。本実施形態にかかる加飾容器は基本的には、図１〜図４に示すように、昇華型インクによりイメージが印刷された転写シート１を、載置面２上に載置した立体形状の収納体３の外側に吸引作用で定着させた状態で加熱することにより、転写シート１からイメージが転写される加飾容器であって、立体形状の収納体３は、容器本体４にこれより取り外し可能な蓋体５が装着されて構成されるとともに、転写シート１を定着させる吸引力を収納体３の内部から加えるために、収納体３には蓋体５と容器本体４との隙間Ｇから、載置面２上の容器本体４の底部へと連通する吸気通路６が形成されて構成される。
【０００９】
立体形状の収納体３は、容器本体４および蓋体５から構成される。容器本体４には、その上端部に雄ねじ７が形成される。他方、蓋体５はおおよそ平板状の天板部８から垂下させて環状スカート部９が形成され、この環状スカート部９には雄ねじ７に取り外し可能に螺合される雌ねじ１０が形成される。本実施形態にあっては、容器本体４に蓋体５を装着した状態の収納体３に対して、一回の操作で転写シート１からイメージが転写されるようになっている。
【００１０】
特に、容器本体４は、雄ねじ７が形成されてその内部に収納物が収納される内容器１１と、この内容器１１にその雄ねじ７下全体を覆って装着される、イメージの転写に好適な素材で形成された外容器１２とから構成される。詳細には図２に示すように、内容器１１には、雄ねじ７下に蓋体５の環状スカート部９下端と当接される段部１３が形成され、外容器１２はその上端がこの段部１３よりも僅かに下方まで達する高さ寸法で内容器１１を覆うように形成されて、これにより蓋体５と容器本体４の外容器１２との間に隙間Ｇが形成されるようになっている。
【００１１】
また外容器１２の内周には、その周方向の適宜箇所に、一端が上方へ向かって開放され、他端が容器本体４の底部、すなわち外容器１２の底部に達するようにその側面から底面にわたって一連に通気溝１４が形成されるとともに、外容器１２の底面には、通気溝１４と連通される通気孔１５が形成される。そしてこれら通気溝１４や通気孔１５は、外容器１２が内容器１１に装着されることで、当該内容器１１との間に一端が隙間Ｇに連通され他端が容器本体４底部に開放された一連の通気通路６を形成するようになっている。
【００１２】
一方、収納体３に転写操作を施すための転写装置１８について説明すると、この転写装置１８については、載置面２上において転写シート１と収納体３との間の空気を吸引するという意味では、何ら特殊な構造は必要なく、従来相当の装置構成でよい。図示例にあってはこの転写装置１８は、収納体３を載置する載置面２が形成された載置台１９と、転写シート１を担持するとともに、載置台１９に向かって昇降自在に設けられ、載置面２上まで下降されて転写シート１を収納体３の外側に被せるシート担持フレーム２０と、シート担持フレーム２０の上方に載置台１９に向かって昇降自在に設けられ、載置面２上のシート担持フレーム２０上まで下降されて、収納体３外側に被せられた転写シート１を当該シート担持フレーム２０との間に挟み込んで保持する保持フレーム２１と、載置面２上方に固定され、転写操作のために収納体３の外側に定着された状態の転写シート１を加熱する加熱装置２２とから構成される。
【００１３】
載置台１９には、転写シート１を吸引してその吸引作用で収納体３の外側に定着させるための吸引装置（図示せず）が接続された吸引通路２３が形成される。そして特にこの吸引通路２３は、通気溝１４によって蓋体５と容器本体４との隙間Ｇに連通する容器本体４底部の通気孔１５に向かって形成される。図示例にあっては、吸引通路２３は、載置台１９を上下方向に貫通する上下孔部で構成されている。すなわち、転写装置１８については、載置面２上から吸引するにあたり、容器本体４底部の通気孔１５に対応させて吸引通路２３が形成されていればよく、換言すれば、当該通気孔１５が吸引通路２３に一致するように収納体３を配置すればよい。なお、昇華型インクによりイメージが印刷された転写シート１としては、従来周知のものを用いればよい。
【００１４】
本実施形態にかかる加飾容器の製造について説明すると、蓋体５で容器本体４を閉じた状態の収納体３を載置台１９の載置面２に載置する。次いで、転写シート１を担持したシート担持フレーム２０を降下させて転写シート１を収納体３の外側に被せた後、保持フレーム２１を下降させて転写シート１を挟み込む。そしてこの後、吸引装置による吸引作用で転写シート１を収納体３に定着させる。この際、吸引作用は、吸引通路２３を介して通気通路６に及ぶことになる。
【００１５】
すなわち、通気通路６はその通気孔１５から通気溝１４を介して容器本体４と蓋体５との隙間Ｇに連通していて、収納体３と転写シート１との間に存在する空気は、隙間Ｇから通気通路６を介して容器本体４の底部から吸引されることとなり、これにより転写シート１を、容器本体４や蓋体５の外側のみならず、それらの隙間Ｇへも良好に密着させることができる。この状態で、加熱装置２２により加熱して転写シート１に昇華型インクで印刷されているイメージを転写することにより、イメージを隙間Ｇを含めて、容器本体４から蓋体５にわたって一連に転写することができる。
【００１６】
そして本実施形態にかかる加飾容器は、容器本体４にこれより取り外し可能な蓋体５が装着されて構成される立体形状の収納体３を対象として、イメージが容器本体４から蓋体５にわたって一連に連続的に転写されたものであり、意匠的に美麗なものである。
【００１７】
以上説明したように、本実施形態にかかる加飾容器によれば、昇華型インクによりイメージが印刷された転写シート１を、載置面２上に載置した立体形状の収納体３の外側に吸引作用で定着させた状態で加熱することにより、転写シート１からイメージが転写される加飾容器であって、容器本体４にこれより取り外し可能な蓋体５が装着されて構成される立体形状の収納体３を対象として、転写シート１を定着させる吸引力を収納体３の内部から加えるために、収納体３に、蓋体５と容器本体４との隙間Ｇから、載置面２上の容器本体４の底部へと連通する吸気通路６を形成したので、容器本体４に取り外し可能に蓋体５が装着されていてその外周囲に不連続な箇所として隙間Ｇが存在する収納体３であって、かつ転写シート１をこのような収納体３全体に定着させて一回の操作で転写を行う場合に、転写シート１を隙間Ｇへも良好に密着させることができて、イメージを容器本体４から蓋体５にわたって一連に連続的に転写することができる。また、通気通路６が容器本体４の底部に達して形成されることから、この通気通路６が転写領域である収納体３の外観に現れることがなく、良好な加飾を施すことができる。
【図面の簡単な説明】
【００１８】
【図１】本発明にかかる加飾容器の好適な一実施形態を示す収納体の一部破断斜視図である。
【図２】図１に示す収納体の要部拡大断面図である。
【図３】転写装置の載置面に、図１に示す収納体を載置した状態を示す側断面図である。
【図４】図３に示す転写装置において、吸引作用により図１の収納体に転写シートを定着させた状態を示す側断面図である。
【符号の説明】
【００１９】
１  転写シート
２  載置面
３  収納体
４  容器本体
５  蓋体
６  吸気通路
Ｇ  蓋体と容器本体との隙間
【図１】
2005200089.tif 000003
【図２】
2005200089.tif 000004
【図３】
2005200089.tif 000005
【図４】
2005200089.tif 000006